(57)【特許請求の範囲】
【請求項１】
下面に吸込口を有する床ブラシと、一端に前記吸込口と連通する開口部を、他端側に屈曲部と連結部を有する連通管を前記床ブラシに対して上下方向に回動可能に前記一端側で接続し、また、一端が前記連通管の連結部にその周方向に回転可能に接続され、他端がホース等を介して掃除機本体と連通する吸気パイプに接続される接続管を備えた電気掃除機において、
前記連通管の屈曲部は、前記開口部より吸引された空気が衝突して、前記連通管と前記接続管の回動面に対して直行する方向に案内されるように形成し、且つ、前記屈曲部の外周部には、内部に空間を有する二重構造を形成したことを特徴とする電気掃除機。
【請求項２】
前記屈曲部の外周部には連通管カバーを取り付けることにより、前記内部に空間を有する二重構造を形成したことを特徴とする請求項１に記載の電気掃除機。
【請求項３】
前記空間には、床ブラシに収納された少なくとも電気送風機の電気部品との間を接続する導電体を配設したことを特徴とする請求項１または２に記載の電気掃除機。
【発明の詳細な説明】
【０００１】
【発明の属する技術分野】
本発明は例えば電気掃除機、特に確実にごみの吸引ができるようにした床ブラシの構造に関するものである。
【０００２】
【従来の技術】
図１５は例えば従来の電気掃除機の床ブラシを示す縦断面図、図１６は同床ブラシに対する手元操作部の位置関係を示す斜視図、図１７は同床ブラシを示す斜視図、図１８は同床ブラシに対して吸気パイプの軸線を平行にした状態を示す斜視図である。図において、１は底部に後輪１ａと前輪１ｂを設けた電気掃除機の床ブラシであり、前面と側面にバンパー１ｃが取り付けられている。２は床ブラシ１に上下に回動可能に接続された連通管であり、屈曲部２ａが形成されている。５は連通管２にその周方向に回動可能に接続された接続管であり、屈曲部５ｂが形成されている。
【０００３】
２６は接続管５に着脱可能に接続された吸気パイプ、２７は吸気パイプ２６に着脱可能に接続された手元パイプ、２８は手元パイプ２７に着脱可能に設けられた手元操作部、２９は手元パイプ２７に接続されたホースである。なお、吸気パイプ２６は２本の接続可能なパイプで構成されている。また、床ブラシ１は上ケースと下ケースとからなり、内部にはエアータービンなどで駆動する回転ブラシ３０が設けられている。
【０００４】
従来の電気掃除機は上記のように構成され、電気掃除機の使用者が手元操作部２８を持って床ブラシ１を往復動作させる場合、連通管２に接続管５を介して接続された吸気パイプ２６は床面１４に対してある角度の傾きをもって使用される。また、図１６に示すように、吸気パイプ２６の軸線Ｂ方向に対して床ブラシ１の前面が直交した状態で、吸気パイプ２６をその軸線Ｂ方向に往復動させて床ブラシ１の前面を往復動させて掃除をしている。しかしながら、例えばその床ブラシ１の左側面が壁際にきた場合に、壁際の床面１４を十分な吸引力で掃除するためには床ブラシ１の前面を壁際に押し当て床ブラシ１を壁際と平行に動かした方がよい。この場合、床ブラシ１の前面と吸気パイプ２６の軸線Ｂ方向と直交する状態で手元操作部２８を捻り回転させると、手元パイプ２７と一体の吸気パイプ２６及び接続管５に対して連通管２が回転すると共に連通管２が床ブラシ１に対して上動する。そして、吸気パイプ２６の軸線Ｂが移動しないことによって床ブラシ１が９０°回転し、床ブラシ１の前面と吸気パイプ２６の軸線Ｂとが平行になり、使用者が今まで床ブラシ１を往復動させていた方向に直交する方向の面である使用者の側面に床ブラシ１の前面が向くため、使用者は移動しなくて済み、また床ブラシ１の進行方向と吸気パイプ２６の軸線Ｂの方向が一致するために力が逃げる恐れもなく、操作が容易で効率よく壁際を掃除することができるものである。
【０００５】
【発明が解決しようとする課題】
上記のような従来の電気掃除機では、床ブラシ１に上下に回動可能に接続され、途中から直角に折れ曲がった連通管２に、接続管５がその周方向に回転可能に接続され、その接続管５も途中から直角に折れ曲がっているので、曲がっている部分で無理に風向が変わるため、直線的な風路に比べ風音が起こる。また、連通管２と接続管５が１８０°回転可能な床ブラシ１においては導電体の配線が困難であったため、電気部品（電動機、ＬＥＤなど）を搭載したものはなく、使い勝手が悪かった。
【０００６】
本発明は、このような問題点を解決するためになされたものであり、使用者の側面方向に対しても使用者が移動しなくとも床ブラシの前面を向けることを可能として壁際の床面に対して確実にゴミの吸引ができるとともに、連通管内の風の衝突により発生する不快な風音を減少させ、かつ吸塵性能を向上させることを目的とし、さらに、床ブラシに電気部品を搭載し、導電体を介して掃除機本体側から電源を供給できる電気掃除機を提供することを目的とする。
【０００７】
【課題を解決するための手段】
この発明は、下面に吸込口を有する床ブラシに回動可能に接続された連通管と、前記連通管にその周方向に回転可能に接続された接続管と、前記接続管に接続された吸気パイプと、手元操作部を有し、一端が前記吸気パイプと接続し、他端がホースと接続する手元パイプとを備えた電気掃除機において、前記連通管は、一端に前記床ブラシの吸込口と連通する開口部を形成し、他端に屈曲部を設け、前記屈曲部は、前記開口部より吸引された空気が衝突して、前記連通管と前記接続管の回動面に対して直行する方向に案内されるように形成し、且つ、該屈曲部の外周部には、内部に空間を有する二重構造を形成したものである。
【０００８】
また、電気部品を内蔵する床ブラシに回動可能に接続された連通管と、前記連通管にその周方向に回転可能に接続された接続管と、前記接続管に接続された吸気パイプと、前記吸気パイプに接続され、手元操作部を有する手元パイプと、前記手元パイプに接続され、前記電気部品に給電する導電体を設けたホースとを備え、前記連通管は、一端に前記床ブラシの吸込口と連通する開口部を形成し、他端に屈曲部を設け、前記屈曲部は、前記開口部より吸引された空気が衝突して、前記連通管と前記接続管の回動面に対して直行する方向に案内されるように形成し、且つ、前記屈曲部の外周部には、内部に空間を有する二重構造とし、前記接続管の外周面に前記導電体の端子部を載置する接続部が設けられ、前記導電体は前記連通管の屈曲部内壁の外周部に沿って配線され、前記空間には、床ブラシに収納された少なくとも電気送風機の電気部品との間を接続する導電体を配設したものである。
【０００９】
【発明の実施の形態】
実施の形態１．
図１は本発明の実施の形態１である電気掃除機の床ブラシを示す縦断面図、図２は同床ブラシを示す斜視図、図３は連結管の分解図、図４は連結管の斜視図、図５は接続管の分解図、図６は床ブラシの底面図、図７は床ブラシの安全装置の動作を示す説明図、図８は連通管の回動面を示す下面図である。
【００１０】
図において、１は下面に吸込口（図示せず）を有し、回転ブラシ（図示せず）や回転ブラシを駆動する電動機（図示せず）を内蔵した電気掃除機の床ブラシであり、後輪１ａ、前輪１ｂが設けられている。２は床ブラシ１に上下方向に回動可能に接続され、他端部には屈曲部２ａが形成されている連通管である。また、連通管２の床ブラシ１側には吸込口と連通する開口部２ｂが形成され、屈曲部２ａ側には連結部２ｃが設けられている。３は連通管２の上面に設けられた連通管カバー、４は連通管カバー３を取り付けた時に形成される空間であり、連通管２に連通管カバー３を取り付けた時に屈曲部２ａ付近が空間４を介して二重構造となるようにそれぞれ構成されている。図３に示すとおり、連通管２に連通管カバー３を取り付けた時、連通管２の壁Ｙと連通管カバー３の壁ｙが当接し、壁Ｘと壁ｘがそれぞれ当接するように形成されている。５は連通管２に対して周方向に回転可能に接続され端部５ａに吸気パイプ（図示せず）が接続する接続管であり、連通管２側には屈曲部５ｂが形成されている。６は接続管５の外周面に設けられた接続部であり、床ブラシ１内の電動機などの電気部品に給電する導電体であるリード線７の端子部８が配置される。９は接続管５の上面に設けられ、リード線７、端子部８を覆うように設けられた接続管カバーであり、ネジ１０により接続管５に固定されている。接続管カバー９を接続管５に取り付けると、空間４と連通する空間４Ａが形成され、空間４と空間４Ａとの連結部分の開口角度は接続管５の回動可能な角度（本実施の形態では１８０°）に応じて形成される。
【００１１】
１１は連通管２に設けられたストッパー、１２は接続管５に設けられたストッパーであり、ストッパー１１、１２により接続管５の回転動作が規制される。ストッパー１１、１２は連通管２と接続管５の回動面Ａ近傍で、なおかつリード線７に触れて断線させてしまうことがない位置に設けられている。１３は連通管２の連結部２ｃに設けられた補強リブであり、掃除中に障害物に当たってしまった場合、連通管カバー３の変形を防止する補強用に設けられている。また、連通管２と接続管５の回動面Ａは床面１４に対して斜めであり、かつ接続管５の軸線Ｂと平行に形成されている。また、掃除中に床面を傷つけないように、床面１４と接続管５の底面との間には所定の距離Ｅが保てるように連通管２と接続管５は接続される。
【００１２】
１５は床ブラシ１の底部に設けた安全装置であり、床ブラシ１を持ち上げたり、ひっくり返したりした時に、電動機が停止して回転ブラシが回転しないように制御する装置である。安全装置１５は車輪１６、車軸１７、斜面を有する軸受け１８、バネ、鉄球等で構成され、図７に示すとおり、床面１４に載置されていないと、床面側に突出し、床ブラシ１内の電動機の回転を停止させる。また、軸受け１８には斜面が形成されているので、安全装置１５の横に障害物が当たっても障害物に引っかからずに跳ね上がり、破損しないようになっている。
【００１３】
次に、実施形態１の電気掃除機の使用方法について説明する。
従来例と同様、電気掃除機の使用者が手元操作部を持って床ブラシ１を往復動作させる場合、連通管２が床面に対して斜め上方にある角度の傾きをもって使用される。また、床ブラシ１の前面を往復動させて掃除をし、例えばその床ブラシ１の左側面が壁際にきた場合は、壁際の床面を十分な吸引力で掃除するためには床ブラシ１の前面を壁際に押し当て床ブラシ１を壁際と平行に動かすことが望ましいので、手元操作部を吸気パイプの軸線を中心とした左回転の捻りを加える。そうすると、吸気パイプと一体の接続管５に対して連通管２が左側に回動すると共に、床ブラシ１に対して連通管２が上方に回動し、連続管５と連通管２の回動面Ａが床面１４に対して変化し、床ブラシ１の前面が吸気パイプの左側に位置して接続管５の軸線Ｂと平行になる。
【００１４】
また、床ブラシ１の右側面が壁際にきたときには、手元操作部を右回転の捻りを加えれば、接続管５に対して連通管２が右側に回動し、最終的に接続管５と連通管２の回動面Ａが完全に床面に対し垂直となり、床ブラシ１の前面が吸気パイプの右側に位置して接続管５の軸線Ｂと平行になる。
【００１５】
この動作により、使用者は移動しなくてすみ、また床ブラシ１の進行方向と接続管５の軸線方向が一致するために力が逃げる恐れもなく、操作が容易で効率よく壁際を掃除することができる。
【００１６】
床ブラシ１の吸込口と連通する開口部２ｂから吸引された塵埃を含む空気の流れは図１中の矢印で示すとおり、連通管２の屈曲部２ａにぶつかり、強制的に曲げられて接続管５を介して掃除機本体へと吸引される。連通管２の屈曲部２ａに空気がぶつかると風音が発生するが、実施形態１では、屈曲部２ａを二重構造としているので、空間４により発生した風音は軽減する。二重構造を主に屈曲部２ａ外周に構成することで、高さ方向に無駄なスペースを設けずにかつ消音効果も得られる。
【００１７】
なお、実施形態１では床ブラシ１に電気部品などを備えた電気掃除機について説明したが、電気部品を備えていないものについても同様の効果を得ることができる。
【００１８】
また、連通管２と接続管５の風路内境界部分において、連通管２端部の形状は均一ではなく、摺動角度に対してＲ付けしている。つまり、図８に示すように、連通管２の接続部２ｃの構成をａの部分でＲ構造とし、ｂの部分でエッジ構造（または小さなＲ構造）とし、ａとｂの間は滑らかに変化するように形成している。この構成により消音効果がさらに向上することは実験により明らかである。
【００１９】
実施の形態２．
図９は本発明の実施の形態２である床ブラシの連結管及び接続管を示す上面図、図１０は接続管を右に捻った場合を示す上面図、図１１は接続管を左に捻った状態を示す上面図である。
実施の形態２では、床ブラシ１に電気部品を備えた場合のリード線の配線について具体的に説明するが、その他の構成については実施の形態１と同様である。
【００２０】
図において、実施の形態１と同一の構成には同一符号を付し、構成の説明は省略する。接続管５外周面に設けられたリード線７は図３、図５に示すとおり空間４Ａ、空間４内を通って床ブラシ１内に入る。消音スペースとなる空間４は、リード線７の収納スペースを兼ねている。また、リード線７は連通管２の屈曲部２ａ内壁の外周部に沿って配線し、続いて屈曲部２ａに沿って配線する。接続部６から屈曲部２ａまでの間ではたわみを持たせて配線する。また、図１に示すとおりリード線７の配線方向は接続管５側と連通管２側とでは異なり、接続管５と連通管２の屈曲部に応じて屈曲して配線されている。また、空間４、空間４Ａは接続管５が１８０°回転できるように形成されている。
【００２１】
リード線７は金属線の集まりであるため、屈曲に弱い。しかしながら、実施の形態２によれば、接続管５を１８０°回転させてもリード線７が無理なく収納され、リード線７に無理な力がかって断線してしまうことを防止でき、リード線７の寿命を飛躍的に延ばすことができる。
【００２２】
実施の形態３．
図１２は本発明の実施の形態３である電気掃除機を収納する状態を示す側面図、図１３は接続管の接続部を示す拡大図である。図において、実施の形態１と同一の構成には同一符号を付し、構成の説明は省略する。実施の形態３では、接続管の接続部について説明するが、その他の構成については実施の形態１と同様である。
【００２３】
図において、１９は掃除機本体、２０は掃除機本体１９に設けられた車輪、２１は接続管５に接続される吸気パイプ、２２は掃除機本体１８の下面に設けられた凹部、２３は延長管２１に形成され、凹部２２に収納される突起部である。６ａは接続部６に形成された上部開口のＵ字型に形成された溝であり、端子部８が上方から設置される。２４はリード線７を抑える抑えリブである。また、図示しないが、接続管カバー９の裏面には端子部８、リード線７を抑える突起が形成されており、これにより端子部８、リード線７のがたつきを防止できる。従来の接続部には、丸穴が形状されていたため、端子部８を挿入する場合、接続部６から抑えリブ２４までに所定の距離が必要であった。しかしながら、Ｕ字型の溝に構成したことにより、端子部８の取り付け作業がしやすく、かつ延長管２１を掃除機本体１９に取り付けたときに距離Ｌを短くすることができ、装置本体のコンパクト化をはかることができる。
【００２４】
また、図１４に示すように、床ブラシ１の表面にＬＥＤ２４や液晶表示２５を形成してもよい。
【００２５】
【発明の効果】
以上のように本発明によれば、下面に吸込口を有する床ブラシに回動可能に接続された連通管と、前記連通管にその周方向に回転可能に接続された接続管と、前記接続管に着脱可能に接続された吸気パイプと、前記吸気パイプに着脱可能に接続され、手元操作部を有するホースとを備えた電気掃除機において、前記連通管は、一端に前記床ブラシの吸込口と連通する開口部を形成し、他端に屈曲部を設け、前記屈曲部は、前記開口部より吸引された空気が衝突して、前記連通管と前記接続管の回動面に対して直行する方向に案内されるように形成し、且つ、前記屈曲部の外周部には、内部に空間を有する二重構造を形成したので、手元操作部を捻ることにより、吸気パイプの軸線に対して直交していた床ブラシの前面を吸気パイプの軸線に対して略平行に変化させることが可能になり、使用者が移動しなくても使用者の前方だけでなく、側方に対しても確実にごみを吸引できるとともに、風音による不快音を減少させることができるという効果がある。
【００２６】
また、電気部品を内蔵する床ブラシに回動可能に接続された連通管と、前記連通管にその周方向に回転可能に接続された接続管と、前記接続管に接続された吸気パイプと、前記吸気パイプに接続され、手元操作部を有する手元パイプと、前記手元パイプに接続され、前記電気部品に給電する導電体を設けたホースとを備え、前記連通管は、一端に前記床ブラシの吸込口と連通する開口部を形成し、他端に屈曲部を設け、前記屈曲部は、前記開口部より吸引された空気が衝突して、前記連通管と前記接続管の回動面に対して直行する方向に案内されるように形成し、且つ、前記屈曲部の外周部には、内部に空間を有する二重構造とし、前記接続管の外周面に前記導電体の端子部を載置する接続部が設けられ、前記導電体は前記連通管の屈曲部内壁の外周部に沿って配線され、前記空間には、床ブラシに収納された少なくとも電気送風機の電気部品との間を接続する導電体を配設したので、手元操作部を捻ることにより、吸気パイプの軸線に対して直交していた床ブラシの前面を吸気パイプの軸線に対して略平行に変化させることが可能になり、使用者が移動しなくても使用者の前方だけでなく、側方に対しても確実にごみを吸引できるとともに、風音による不快音を減少させることができるという効果の他に、床ブラシ内に電気部品を搭載でき、使い勝手が向上するという効果がある。
【図面の簡単な説明】
【図１】  本発明の実施の形態１である電気掃除機の床ブラシを示す縦断面図である。
【図２】  本発明の実施の形態１である床ブラシを示す斜視図である。
【図３】  本発明の実施の形態１である床ブラシの連結管を示す分解図である。
【図４】  本発明の実施の形態１である床ブラシの連結管を示す斜視図である。
【図５】  本発明の実施の形態１である床ブラシの接続管の分解図である。
【図６】  本発明の実施の形態１である床ブラシの底面図である。
【図７】  本発明の実施の形態１である床ブラシの安全装置を示す説明図である。
【図８】  連通管の回動面を示す下面図である。
【図９】  本発明の実施の形態２である電気掃除機の床ブラシの連結管及び接続管を示す上面図である。
【図１０】  本発明の実施の形態２である床ブラシの接続管を右に捻った状態を示す上面図である。
【図１１】  本発明の実施の形態２である床ブラシの接続管を左に捻った状態を示す上面図である。
【図１２】  本発明の実施の形態３である電気掃除機の掃除機本体に床ブラシを収めた状態を示す従来の電気掃除機の床ブラシを示す縦断面図である。
【図１３】  本発明の実施の形態３である床ブラシの接続管の接続部を示す拡大図である。
【図１４】  床ブラシの表面にＬＥＤや液表示を設けた状態を示す斜視図である。
【図１５】  従来の電気掃除機の床ブラシを示す縦断面図である。
【図１６】  従来の床ブラシに対する手元操作部の位置関係を示す斜視図である。
【図１７】  従来の床ブラシを示す斜視図である。
【図１８】  従来の床ブラシに対して吸気パイプの軸線を平行にした状態を示す斜視図である。
【符号の説明】
１  床ブラシ、２  連通管、２ａ  屈曲部、２ｂ  開口部、２ｃ  連結部、
３  連通管カバー、４  空間、４Ａ  空間、５  接続管、５ａ  端部、
５ｂ  屈曲部、６  接続部、７  リード線、８  端子部、９  接続管カバー、
１４  床面、１９  掃除機本体、２１  吸気パイプ、２２  凹部、
２３  突起部、２４  ＬＥＤ、２５  液晶表示、２６  吸気パイプ、
２７  手元パイプ、２８  手元操作部、２９  ホース、３０  回転ブラシ。
【図１】
0003858211.tif 000002
【図２】
0003858211.tif 000003
【図３】
0003858211.tif 000004
【図４】
0003858211.tif 000005
【図５】
0003858211.tif 000006
【図６】
0003858211.tif 000007
【図７】
0003858211.tif 000008
【図８】
0003858211.tif 000009
【図９】
0003858211.tif 000010
【図１０】
0003858211.tif 000011
【図１１】
0003858211.tif 000012
【図１２】
0003858211.tif 000013
【図１３】
0003858211.tif 000014
【図１４】
0003858211.tif 000015
【図１５】
0003858211.tif 000016
【図１６】
0003858211.tif 000017
【図１７】
0003858211.tif 000018
【図１８】
0003858211.tif 000019